(57)【要約】【課題】  蓋を紛失するおそれがないばかりか、誰でもワンタッチで蓋の閉じ操作を行うことができるロック手段を備えた携帯電子機器を提供する。【解決手段】  筐体１０に設けた電池室１１に電池蓋２を、開放可能に及びロック可能に取付けるロック機構３を備えたバーコードリーダ１であって、ロック機構３は、電池室１１に向けて回動可能に設置されたロック部材３１と、このロック部材３１に対して電池蓋２をロックする方向へ閉じ力を付与するばね部材３２と、電池蓋２を閉じる方向へ押込むことによりロック部材３１を後退させて押入りロック部材３１と係止する、電池蓋２に設けた係止片２２とを有する。【選択図】  図１
2006032089.tif 000002
【特許請求の範囲】
【請求項１】
筐体に設けた開閉室を開閉する蓋と、この蓋をロックするロック手段とを備えた携帯電子機器であって、
前記ロック手段は、
前記開閉室に向けて回動可能に設置されたロック部材と、
このロック部材に対して前記蓋をロックする方向へ閉じ力を付与する弾性部材と、
前記蓋を閉じる方向へ押込むことにより前記ロック部材の内側に入り込んでそのロック部材と係止する、前記蓋に設けた係止部と
を有することを特徴とする携帯電子機器。
【請求項２】
前記蓋を閉じたときにこの蓋と前記筐体との間から雨水の浸入を防止する防水手段を備えたことを特徴とする請求項１に記載の携帯電子機器。
【請求項３】
防水手段は、
前記開閉室を囲む状態で設置したシール部位と、
前記蓋の内面側の周囲に設け前記シール部材を嵌合する溝と
を有することを特徴とする請求項２に記載の携帯電子機器。
【請求項４】
前記蓋を一定の角度以上開放すると、前記筐体に設けた、前記蓋を開閉自在に支持する回動軸から脱出可能となる脱出手段を備えたことを特徴とする請求項１から３のいずれか１項に記載の携帯電子機器。
【請求項５】
前記脱出手段は、前記蓋に設け前記回動軸を回動自在に軸支する軸受孔から延設し、外部に向けて開口する切欠きを備えたことを特徴する請求項４に記載の携帯電子機器。
【発明の詳細な説明】
【技術分野】
【０００１】
本発明は、ワンタッチで蓋を閉じてロックすることができるロック手段を備えた携帯電子機器に関するものである。
【背景技術】
【０００２】
屋外での使用が多い携帯電子機器、例えば携帯電話機やデータ通信機能を有するハンディ型のバーコードリーダなどでは、電池パックなどを電源として使用するものが多数開発されている。この電池パックを備えた携帯電子機器では、電池パックを収納する電池室と、この電池室に電池パックを装着して閉じる電池蓋を備えたものが知られている（例えば、特許文献１参照）。また、この電池蓋は、電池室近傍の筐体部分にねじで止め着けたり、電池室に係止する係止爪などで固定させるものが一般的である。
【特許文献１】特開平１１−２９７２８８号公報
【発明の開示】
【発明が解決しようとする課題】
【０００３】
通常、このような構造の電池蓋にあっては、電池室から電池パックを着脱させる際に、着脱操作性を考慮して電池蓋が完全に取り外せるようになっていることが多い。このため、その電池蓋を紛失し易く問題となっている。
【０００４】
しかも、この電池蓋を装置本体側の筐体にねじで止め着ける構成のものでは、ドライバなどの治具を必要とするので、電池蓋の閉じ操作が面倒である。一方、係止爪で固定する構成のものでは、電池蓋の装着ミスにより係止爪などを破損したり、装着不良により使用中に電池パック脱落のおそれもあり、誰でも簡単、かつ、安全に固定できる手段の開発が要望されている。
【０００５】
本発明は、上記事情に鑑みてなされたもので、蓋を紛失するおそれがないばかりか、誰でも簡単にワンタッチで蓋を閉じて固定することができ、しかも誤操作による破損もない携帯電子機器を提供することを目的とする。
【課題を解決するための手段】
【０００６】
本発明の携帯電子機器は、筐体に設けた開閉室を開閉する蓋と、この蓋をロックするロック手段とを備えた携帯電子機器であって、前記ロック手段は、前記開閉室に向けて回動可能に設置されたロック部材と、このロック部材に対して前記蓋をロックする方向へ閉じ力を付与する弾性部材と、前記蓋を閉じる方向へ押込むことにより前記ロック部材の内側に入り込んでそのロック部材と係止する、前記蓋に設けた係止部とを有する構成となっている。この構成により、蓋を紛失するおそれがないばかりか、誰でも簡単にワンタッチで蓋を閉じて固定でき、しかも誤操作による破損も防止できる。
【０００７】
また、本発明の携帯電子機器は、前記蓋を閉じたときにこの蓋と前記筐体との間から雨水の浸入を防止する防水手段を備えた構成となっている。この構成により、屋外の使用の際に雨水が蓋と筐体との間から開閉室に浸入するのを防止できる。
【０００８】
本発明の携帯電子機器は、防水手段は、前記開閉室を囲む状態で設置したシール部位と、前記蓋の内面側の周囲に設け前記シール部材を嵌合する溝とを有する構成となっている。この構成により、簡単な構造で防水機能を得ることができる。
【０００９】
本発明の携帯電子機器は、前記蓋を一定の角度以上開放すると、前記筐体に設けた、前記蓋を開閉自在に支持する回動軸から脱出可能となる脱出手段を備えた構成となっている。この構成により、蓋に過度の大きな負荷が作用した場合には、蓋が筐体側から脱出することで過度の負荷を吸収し、これに伴う破損などを回避できる。
【００１０】
本発明の携帯電子機器は、前記脱出手段は、前記蓋に設け前記回動軸を回動自在に軸支する軸受孔から延設し、外部に向けて開口する切欠きを備えた構成となっている。この構成により、簡単な構造で脱出機能を得ることができる。
【発明の効果】
【００１１】
本発明によれば、開閉蓋のロック手段は、開閉室に向けて回動可能に設置されたロック部材と、このロック部材に対して蓋をロックする方向へ閉じ力を付与する弾性部材と、蓋を閉じる方向へ押込むことによりロック部材の内側に入り込んでそのロック部材と係止する、蓋に設けた係止部とを有する構成となっている。このため、蓋を紛失するおそれがないばかりか、誰でも簡単にワンタッチで蓋を閉じることができ、しかも誤操作による破損も防止できる。
【発明を実施するための最良の形態】
【００１２】
以下、本発明の実施形態について、添付図面を参照しながら詳細に説明する。
図１及び図２は、本発明に係る電池蓋２のロック機構３を備えたハンディタイプのバーコードリーダ１を示すものであり、このバーコードリーダ１は、筐体１０に設けた読取口１０Ａから読取光を投光して図示外のバーコードシンボルを光学的に読取るとともに、読取ったデータを無線通信によりホストコンピュータへ送信する構成となっている。また、本実施形態のバーコードリーダ１には、筐体１０のバッテリパック(又は電池)６を収容する電池室１１に電池蓋２を開閉自在に、かつ、着脱可能に取り付けているとともに、この電池室１１近傍に設けたロック室１２に電池蓋２をロックするロック機構３を備えている。さらに、このバーコードリーダ１には、電池室１１と電池蓋２との間の防水性を確保する防水機構４と、過度の負荷が作用すると筐体１０から電池蓋２が抜け落ちる脱出機構５（図２参照）とを備えている。
【００１３】
電池蓋２には、一方の端面の両角隅部分に軸受孔２１が形成されており、この軸受孔２１に電池室１１近傍の台座１３の側面から突設する一対の回動軸１３Ａ（図２参照）が回動自在に取付けてある。
【００１４】
ロック機構３は、筐体１０の電池室１１近傍に設けたロック室１２に回動可能に設置されたロック部材３１と、このロック部材に対して電池蓋２を閉じてロックさせる方向に回転力を付与するばね部材３２と、電池蓋２に設けた、ロック部材３１に係止する係止片２２とを備えている。
【００１５】
ロック部材３１は、図３に示すように、回動（α）方向に向けて両側が突出した頭部３１Ａと、この頭部３１Ａから下方へ突出する一対の脚部３１Ｂと有する断面略Ｔ形状を呈している。このうち、頭部３１Ａには、両側に突出した凸部のうち電池室１１のある方向に向けて突出した凸部に、下方に傾斜したテーパ面３１１を設けている。従って、電池蓋２を閉じる方向に押し込むと、電池蓋２の係止片２２がテーパ面３１１を−α方向に押し出そうとする力が発生するので（図９参照）、ロック部材３１もロック解除する−α方向に後退する。その結果、ロック部材３１が後退している間に、電池蓋２が電池室１１に入り込むことができるわけである。その後、ばね部材３２のばね力でロック部材３１がα方向に前進して、再びもとの位置に戻ると、電池蓋２にロックが掛かる。一方、脚部３１Ｂには、図示外の軸穴が穿設されており、この軸穴をロック室１２内の両側壁から突出する支軸１２Ａに回動可能に取付けている。また、この脚部３１Ｂには、ロック室１２との間に前述のばね部材３２が設けられており、常時、ロック部材３１に対して電池室１１のある方向（図３（Ａ）では時計回り方向α）に回転力を付勢している。
【００１６】
このばね部材３２は、２連一対のトーションばね３２Ａ、３２Ｂが一体化された構成となっており、ロック部材３１の各脚部３１Ｂに設けた支軸部３１Ｄ（図３（Ｂ）参照）にそれぞれ介装されている。これらのトーションばね３２Ａ、３２Ｂは、それぞれ側方に突出する両端部３２１がロック室１２の床面１２Ｂに係止している。一方、ばね部材３２の中央部には、各トーションばね３２Ａ、３２Ｂをつなぐ連結部３２２が形成されている。  この連結部３２２は、ロック部材３１の頭部３１Ａと脚部３１Ｂとの間の胴体部３１Ｃに係止しており、この連結部３２２を介してばね部材３２の回転力が胴体部３１Ｃに作用している。
【００１７】
防水機構４は、電池蓋２を閉じたときに外部から電池室１１へ雨水の浸入を防止するものであり、電池室１１を囲む状態で設置したシール部材４１と、電池蓋２の内面側の周囲に沿って設けシール部材４１と嵌合する溝２３（図５参照）とを有する。シール部材４１は、電池蓋２の溝２３に隙間なく密着して防水性を高めるためシリコーンゴムなどの伸縮性の大きな材料で形成しており、図１及び図２に示すように、電池室１１を取囲むように電池室１１の周縁部に沿って設けている。
【００１８】
脱出機構５は、一定の角度（θ）以上電池蓋２が開放すると回動軸１３Ａから電池蓋２を脱出可能とさせるものであり、電池蓋２に設けた、回動軸１３を回動自在に軸支する前述の軸受孔２１から延設し、外部に向けて開口した切欠き２１Ａを備えている。この切欠き２１Ａは、電池蓋２の外面に対して所定の角度（δ）だけ傾斜して設けられている。従って、軸受孔２１は、図７に示すように、一定角度（θ）の範囲内で電池蓋２が回動するときには回動軸１３Ａからの脱落が防止されているが、図８に示すように、外部から過度の大きな負荷が作用するなどして一定角度（θ）以上に電池蓋２が回動すると、回動軸１３Ａから容易に脱出できる。
【００１９】
次に、本実施形態の作用について説明する。
例えば電池パック６を交換する場合、図６に示すように、電池室１１に電池パック６を収容して電池蓋２を閉じてある状態から、ロック部材３１をばね部材３２の弾性力に抗して、指などで図中反時計（−α）方向に回動させる。
すると、このロック部材３１の回動動作によって、このロック部材３１の頭部３１Ａの下面に係止していた電池蓋２の係止片２２が、係止状態から開放されるので、電池蓋２がロック状態から解除される。従って、このフリーとなった電池蓋２を指や手で持ちながら上方向へ開いていくと、図７に示すように電池蓋２を開放させることができる。なお、この図７の状態のときには、軸受孔２１の間の電池蓋２のエッジ部２Ａ（図２に示すガントリ状に切欠いた中央稜線部分）を、電池室１１近傍の台座１３（図２参照）に係止させることができるので、電池蓋２を開ききった姿勢のままで仮止めできる。
【００２０】
なお、この図７の状態から電池蓋２をさらに開放させる方向に向けて押し開く、というような過度の力や負荷が作用すると、図８に示すように、台座１３に当接する電池蓋２のエッジ部２Ａを回動支点として、電池蓋２が前述の角度（θ）を越えてさらに回動しようとする。ところが、その場合には、回動軸１３Ａに支持されていた電池蓋２が、軸受孔２１が切り欠き２１Ａを通って回動軸１３Ａから脱出することができるので、電池蓋２や筐体１０などの破損を回避できる。
【００２１】
次に、電池蓋２が開放された状態にある電池室１１から、電池パック６を取出して新しいものなどと交換したならば、指や手などで押し込んで電池蓋２を閉じる。すると、図９に示すように、電池蓋２を最後まで閉じていく際に、係止片２２のテーパ面２２Ａがロック部材３１の頭部３１Ａに設けたテーパ面３１１を押し開いていく。つまり、電池蓋２の係止片２２に設けたテーパ面２２Ａが、ロック部材３１の頭部３１Ａのテーパ面３１１を上から押圧することにより、ロック部材３１をテーパ面３１１に沿った斜上方向へ押出そうとする力が発生する。これにより、図９において、ロック部材３１は、ばね部材３２のばね力に抗して反時計周りの回転力を得る。その結果、電池蓋２の係止片２２がロック部材３１の下側に回り込んで行き、頭部３１Ａの頭部３１Ａの直下に進入したところで、電池蓋２から指や手を離すと、ばね部材３２のばね力でロック部材３１が元の位置まで戻り、電池蓋２にロックが掛かった状態となる。
このように、ばね部材３２の弾性力よりも大きな閉じ力で電池蓋２を押下すると、ロック部材が一時的に後退するのでこの間に係止片２２が進入し、電池蓋２に自動的にロックが掛かった状態になる。
また、このロック状態にあれば、電池室１１の周囲に固設したシール部材４１が、電池室１１を密閉する電池蓋２の裏面の溝２３に嵌合して密着することができるので、電池室１１と電池蓋２との間で防水状態が得られる。
【００２２】
なお、本発明では、ロック部材のロック動作に連動する図示外のスイッチを設け、このスイッチのオン動作で携帯電子機器の電源が投入可能状態となるようにしてもよい。さらに、屋外などで携帯電子機器を動作中に誤って落下させるなどして、万一バッテリパック(又は電池)などが外れても、データの消失するなどの瞬断事故が発生するのを防止できる安全機構などを付設し、ロック手段のロック解除動作などと連動させてもよい。
【００２３】
また、本発明は、上述した実施形態に何ら限定されるものではなく、その要旨を逸脱しない範囲において種々の形態で実施し得るものである。
【産業上の利用可能性】
【００２４】
本発明の携帯電子機器は、筐体に設けた開閉室を開閉する蓋と、この蓋をロックするロック手段とを備えた携帯電子機器であって、ロック手段は、開閉室に向けて回動可能に設置されたロック部材と、このロック部材に対して蓋をロックする方向へ閉じ力を付与する弾性部材と、蓋を閉じる方向へ押込むことによりロック部材の内側に入り込んでそのロック部材と係止する、蓋に設けた係止部とを有している。従って、蓋を紛失するおそれがないばかりか、誰でも簡単にワンタッチで蓋を閉じて固定することができ、しかも誤操作による破損もないという効果を有し、屋外での使用を可能とするように電池パックなどを装着した携帯用のバーコードリードリーダや携帯電話機などのような携帯端末機器等として有用である。
【図面の簡単な説明】
【００２５】
【図１】本発明の一実施形態に係る電池蓋のロック機構を備えたバーコードリーダを示す斜視図
【図２】本発明の一実施形態に係るバーコードリーダの要部分解斜視図
【図３】（Ａ）はそのバーコードリーダのロック部材を示す斜視図、（Ｂ）はその分解斜視図
【図４】本発明の一実施形態に係るバーコードリーダのばね部材などのロック室内での設置状態を示す斜視図
【図５】そのバーコードリーダの電池蓋でのシール部位の嵌合状態を示す説明図
【図６】そのバーコードリーダの電池蓋を閉じた状態を示す要部断面図
【図７】本発明一実施形態に係るバーコードリーダの電池蓋の開いた状態を示す要部断面図
【図８】本発明一実施形態に係るバーコードリーダの電池蓋が筐体から脱出した状態を示す要部断面図
【図９】本発明一実施形態に係るバーコードリーダの電池蓋がロック状態になる直前の状態を示す説明図
【符号の説明】
【００２６】
１  バーコードリーダ（携帯電子機器）
１０    筐体
１０Ａ  読取口
１１    電池室（開閉室）
１２    ロック室
１２Ａ  支軸
１３    台座
１３Ａ  回動軸
２      電池蓋（蓋）
２１    軸受孔
２１Ａ  切欠き
２２    係止片（係止部）
２２Ａ  テーパ面
２３    溝
３      ロック機構（ロック手段）
３１    ロック部材
３１１  テーパ部
３１Ａ  頭部
３１Ｂ  脚部
３１Ｃ  胴体部
３１Ｄ  支軸部
３２    ばね部材（弾性部材）
３２Ａ、３２Ｂ  トーションばね
３２２  連結部
４      防水機構（防水手段）
４１    シール部位
５      脱出機構（脱出手段）
６      バッテリパック
【図１】
2006032089.tif 000003
【図２】
2006032089.tif 000004
【図３】
2006032089.tif 000005
【図４】
2006032089.tif 000006
【図５】
2006032089.tif 000007
【図６】
2006032089.tif 000008
【図７】
2006032089.tif 000009
【図８】
2006032089.tif 000010
【図９】
2006032089.tif 000011